(57)【要約】【課題】  液晶ディスプレイ装置を安定的に駆動する方法、及びこの方法を使用した液晶ディスプレイ装置を提供する。【解決手段】  ３色相に対して割当てられたデータ電極ラインと、このデータ電極ラインと交差されるように形成される走査電極ラインが備わった液晶ディスプレイパネル、及び液晶ディスプレイパネルの後に設けられて各色相のバックライトを順次に発生させる照明装置を備える駆動方法を使用した液晶ディスプレイ装置。単位駆動周期は第１ないし第３色相駆動周期に三分割される。ここで、３色相駆動周期のうち２色相駆動周期が併合され、併合された２色相駆動周期で１回の走査パルスだけが走査電極ラインそれぞれに順次に印加されるが、前記１回の走査パルスだけが印加される時間で前記２色相の駆動が行われる。【選択図】            図６Ａ
2005010754.tif 000002
【特許請求の範囲】
【請求項１】
３色相に対して割当てられたデータ電極ラインと、前記データ電極ラインと交差されるように形成される走査電極ラインが備わった液晶ディスプレイパネルと、前記液晶ディスプレイパネルの後に設けられて各色相のバックライトを順次に発生させる照明装置とが備わり、単位駆動周期が第１ないし第３色相駆動周期に三分割される液晶ディスプレイ装置の駆動方法において、
前記３色相駆動周期のうち２色相駆動周期が併合され、併合された２色相駆動周期で１回の走査パルスだけが前記走査電極ラインそれぞれに順次に印加されるが、前記１回の走査パルスだけが印加される時間で前記２色相の駆動が行われる液晶ディスプレイ装置の駆動方法。
【請求項２】
前記第１色相駆動周期が赤色駆動サブフィールドであり、前記第２色相駆動周期が緑色駆動サブフィールドであり、前記第３色相駆動周期が青色駆動サブフィールドである請求項１に記載の液晶ディスプレイ装置の駆動方法。
【請求項３】
３色相に対して割当てられたデータ電極ラインと、前記データ電極ラインと交差されるように形成される走査電極ラインが備わった液晶ディスプレイパネルと、前記液晶ディスプレイパネルの後に設けられて各色相のバックライトを順次に発生させる照明装置とが備わり、単位駆動周期が第１ないし第３色相駆動周期に三分割される液晶ディスプレイ装置において、
前記３色相駆動周期のうち２色相駆動周期が併合され、併合された２色相駆動周期で１回の走査パルスだけが前記走査電極ラインそれぞれに順次に印加されるが、前記１回の走査パルスだけが印加される時間で前記２色相の駆動が行われる液晶ディスプレイ装置。
【請求項４】
前記第１色相駆動周期が赤色駆動サブフィールドであり、前記第２色相駆動周期が緑色駆動サブフィールドであり、前記第３色相駆動周期が青色駆動サブフィールドである請求項３に記載の液晶ディスプレイ装置。
【請求項５】
前記液晶ディスプレイパネルの前に設けられて第４及び第５色相のフロントライトだけを前記液晶ディスプレイパネルに入射させる２色スペクトルシャッタをさらに含み、
前記照明装置から第６及び第７色相のバックライトだけが発生し、
前記第４ないし第７色相の組み合わせにより前記第１ないし第３色相の光が前記液晶ディスプレイパネルの選択されたセル及び前記２色スペクトルシャッタを介して出射される請求項３に記載の液晶ディスプレイ装置。
【請求項６】
前記第２及び第３色相駆動周期が併合される場合、
前記第１色相駆動周期で前記第４色相のフロントライト及び前記第６色相のバックライトだけが前記液晶ディスプレイパネルの選択されたセル及び前記２色スペクトルシャッタを介して出射され、
前記１回の走査パルスだけが印加される時間のうち前記第２色相駆動周期に相応し、割当てられた時間で前記第５色相のフロントライト及び前記第６色相のバックライトだけが前記液晶ディスプレイパネルの選択されたセル及び前記２色スペクトルシャッタを介して出射され、
前記１回の走査パルスだけが印加される時間のうち前記第３色相駆動周期に相応し、割当てられた時間で前記第５色相のフロントライト及び前記第７色相のバックライトだけが前記液晶ディスプレイパネルの選択されたセル及び前記２色スペクトルシャッタを介して出射される請求項５に記載の液晶ディスプレイ装置。
【請求項７】
印加電圧によって前記２色スペクトルシャッタの色相が変わる請求項５に記載の液晶ディスプレイ装置。
【請求項８】
前記２色スペクトルシャッタがフォトニックインクからなる請求項７に記載の液晶ディスプレイ装置。
【請求項９】
前記第１色相駆動周期が赤色駆動サブフィールドであり、前記第２色相駆動周期が緑色駆動サブフィールドであり、前記第３色相駆動周期が青色駆動サブフィールドである請求項５に記載の液晶ディスプレイ装置。
【請求項１０】
前記第２及び第３色相駆動周期が併合され、
前記第１色相駆動周期で赤色のフロントライト及び黄色のバックライトだけが前記液晶ディスプレイパネルの選択されたセル及び前記２色スペクトルシャッタを介して出射され、
前記１回の走査パルスだけが印加される時間のうち前記第２色相駆動周期に相応し、割当てられた時間でシアン色のフロントライト及び黄色のバックライトだけが前記液晶ディスプレイパネルの選択されたセル及び前記２色スペクトルシャッタを介して出射され、
前記１回の走査パルスだけが印加される時間のうち前記第３色相駆動周期に相応し、割当てられた時間で前記シアン色のフロントライト及び青色のバックライトだけが前記液晶ディスプレイパネルの選択されたセル及び前記２色スペクトルシャッタを介して出射される請求項９に記載の液晶ディスプレイ装置。
【請求項１１】
前記２色スペクトルシャッタで、
所定の駆動電圧で黄色の波長領域の光を前記液晶ディスプレイパネルの前に出射させる第１液晶パネルと、
前記駆動電圧でシアン色の波長領域の光を前記液晶ディスプレイパネルの前に出射させる第２液晶パネルと、
前記駆動電圧でマゼンタ色の波長領域の光を前記液晶ディスプレイパネルの前に出射させる第３液晶パネルとが積層された請求項１０に記載の液晶ディスプレイ装置。
【請求項１２】
前記第１色相駆動周期で前記第１及び第３液晶パネルだけに前記駆動電圧が印加され、
前記第２及び第３色相周期で前記第２液晶パネルだけに前記駆動電圧が印加される請求項１１に記載の液晶ディスプレイ装置。
【請求項１３】
前記第１及び第３色相駆動周期が併合され、
前記第２色相駆動周期で緑色のフロントライト及びシアン色のバックライトだけが前記液晶ディスプレイパネルの選択されたセル及び前記２色スペクトルシャッタを介して出射され、
前記１回の走査パルスだけが印加される時間のうち前記第１色相駆動周期に相応し、割当てられた時間でマゼンタ色のフロントライト及び赤色のバックライトだけが前記液晶ディスプレイパネルの選択されたセル及び前記２色スペクトルシャッタを介して出射され、
前記１回の走査パルスだけが印加される時間のうち前記第３色相駆動周期に相応し、割当てられた時間で前記マゼンタ色のフロントライト及び青色のバックライトだけが前記液晶ディスプレイパネルの選択されたセル及び前記２色スペクトルシャッタを介して出射される請求項９に記載の液晶ディスプレイ装置。
【請求項１４】
前記２色スペクトルシャッタで、
所定の駆動電圧で黄色の波長領域の光を前記液晶ディスプレイパネルの前に出射させる第１液晶パネルと、
前記駆動電圧でシアン色の波長領域の光を前記液晶ディスプレイパネルの前に出射させる第２液晶パネルと、
前記駆動電圧でマゼンタ色の波長領域の光を前記液晶ディスプレイパネルの前に出射させる第３液晶パネルとが積層された請求項１３に記載の液晶ディスプレイ装置。
【請求項１５】
前記第２色相駆動周期で前記第１及び第２液晶パネルだけに前記駆動電圧が印加され、
前記第１及び第３色相周期で前記第３液晶パネルだけに前記駆動電圧が印加される請求項１４に記載の液晶ディスプレイ装置。
【請求項１６】
前記第１及び第２色相駆動周期が併合され、
前記第３色相駆動周期で青色のフロントライト及びシアン色のバックライトだけが前記液晶ディスプレイパネルの選択されたセル及び前記２色スペクトルシャッタを介して出射され、
前記１回の走査パルスだけが印加される時間のうち前記第１色相駆動周期に相応し、割当てられた時間で黄色のフロントライト及び赤色のバックライトだけが前記液晶ディスプレイパネルの選択されたセル及び前記２色スペクトルシャッタを介して出射され、
前記１回の走査パルスだけが印加される時間のうち前記第２色相駆動周期に相応し、割当てられた時間で前記黄色のフロントライト及びシアン色のバックライトだけが前記液晶ディスプレイパネルの選択されたセル及び前記２色スペクトルシャッタを介して出射される請求項９に記載の液晶ディスプレイ装置。
【請求項１７】
前記２色スペクトルシャッタで、
所定の駆動電圧で黄色の波長領域の光を前記液晶ディスプレイパネルの前に出射させる第１液晶パネルと、
前記駆動電圧でシアン色の波長領域の光を前記液晶ディスプレイパネルの前に出射させる第２液晶パネルと、
前記駆動電圧でマゼンタ色の波長領域の光を前記液晶ディスプレイパネルの前に出射させる第３液晶パネルとが積層された請求項１６に記載の液晶ディスプレイ装置。
【請求項１８】
前記第３色相駆動周期で前記第２及び第３液晶パネルだけに前記駆動電圧が印加され、
前記第１及び第２色相周期で前記第１液晶パネルだけに前記駆動電圧が印加される請求項１７に記載の液晶ディスプレイ装置。
【発明の詳細な説明】
【技術分野】
【０００１】
本発明は、液晶ディスプレイ装置の駆動方法、及びこの方法を使用した液晶ディスプレイ装置に係り、さらに詳細には単位フレームごとに階調ディスプレイのためのサブフィールドが存在するフィールドシーケンス型液晶ディスプレイ装置の駆動方法、及びこの方法を使用した液晶ディスプレイ装置に関する。
【背景技術】
【０００２】
一般的なフィールドシーケンス型液晶ディスプレイ装置、例えば特許文献１のフィールドシーケンス型液晶ディスプレイ装置では、単位駆動周期としてのサブフィールドごとに赤色、緑色、及び青色のバックライトを順次に発生させる照明装置が液晶ディスプレイパネルの下に設けられる。また、単位サブフィールドが赤色、緑色、及び青色駆動サブフィールドに区分される。赤色駆動サブフィールドでは、赤色のバックライトだけが発生して赤色セルの位置の液晶が駆動される。緑色駆動サブフィールドでは、緑色のバックライトだけが発生して緑色セルの位置の液晶が駆動される。青色駆動サブフィールドでは、青色のバックライトだけが発生して青色セルの位置の液晶が駆動される。
【０００３】
前記のような一般的なフィールドシーケンス型液晶ディスプレイ装置によれば、単位フレームが時分割階調ディスプレイのために複数のサブフィールドに区分されるだけではなく、単位サブフィールドが赤色、緑色、及び青色駆動サブフィールドに区分される。これにより、高速走査動作が要求されて走査パルスの幅が不十分になるので、駆動が不安定になるという問題点がある。
【特許文献１】大韓民国特許公開第２７７１７号公報（２００３年）
【発明の開示】
【発明が解決しようとする課題】
【０００４】
本発明が解決しようとする課題は、走査パルスの幅を効率的に広げることにより液晶ディスプレイ装置を安定的に高速駆動する方法、及びこの方法を使用した液晶ディスプレイ装置を提供することである。
【課題を解決するための手段】
【０００５】
前記課題を解決するための本発明の駆動方法を使用した液晶ディスプレイ装置は、３色相に対して割当てられたデータ電極ラインと、前記データ電極ラインと交差されるように形成される走査電極ラインが備わった液晶ディスプレイパネルと、前記液晶ディスプレイパネルの後に設けられて各色相のバックライトを順次に発生させる照明装置とを備える。単位駆動周期は第１ないし第３色相駆動周期に三分割される。ここで、前記３色相駆動周期のうち２色相駆動周期が併合され、併合された２色相駆動周期で１回の走査パルスだけが前記走査電極ラインそれぞれに順次に印加されるが、前記１回の走査パルスだけが印加される時間で前記２色相の駆動が行われる。
【０００６】
本発明の前記駆動方法及び液晶ディスプレイ装置によれば、併合された２色相駆動周期で１回の走査パルスだけが前記走査電極ラインそれぞれに順次に印加されうる。これにより、走査パルスの幅が効率的に広くなるので、安定した高速駆動が行われうる。
【０００７】
本発明の前記液晶ディスプレイ装置において、望まししくは前記液晶ディスプレイパネルの前に設けられて第４及び第５色相のフロントライトだけを前記液晶ディスプレイパネルに入射させる２色スペクトルシャッタがさらに含まれる。また、前記照明装置から第６及び第７色相のバックライトだけが発生し、前記第４ないし第７色相の組み合わせにより前記第１ないし第３色相の光が前記液晶ディスプレイパネルの選択されたセル及び前記２色スペクトルシャッタを介して出射される。
【０００８】
これにより、前記３色相駆動周期のうち２色相駆動周期で、前記２色スペクトルシャッタが同じ色相のフロントライトだけを前記液晶ディスプレイパネルに入射させられる。また、前記３色相駆動周期のうち他の２色相駆動周期で、前記照明装置から同色相のバックライトだけが発生しうる。これにより、前記２色スペクトルシャッタ及び前記照明装置の駆動もさらに安定的でありうる。
【発明の効果】
【０００９】
本発明による駆動方法及び液晶ディスプレイ装置によれば、併合された２色相駆動周期で１回の走査パルスだけが前記走査電極ラインそれぞれに順次に印加されうる。これにより、走査パルスの幅が効率的に広くなるので、安定した高速駆動が行われうる。
【００１０】
また、３色相駆動周期のうち２色相駆動周期で、前記２色スペクトルシャッタが同色相のフロントライトだけを前記液晶ディスプレイパネルに入射させられる。また、前記３色相駆動周期のうち他の２色相駆動周期で、前記照明装置から同色相のバックライトだけが発生しうる。これにより、前記２色スペクトルシャッタ及び前記照明装置の駆動もさらに安定しうる。
【発明を実施するための最良の形態】
【００１１】
以下、添付された図面を参照して本発明の実施の形態を詳細に説明する。
【００１２】
図１を参照すれば、本発明によるフィールドシーケンス型液晶ディスプレイ装置は液晶ディスプレイパネル１０、２色照明装置４０、２色スペクトルシャッタ２Ｓ、データ変換部５１、映像メモリ５２、バッファ５３、走査駆動部５４、データ駆動部５５、照明制御部５６、制御部５７、及びシャッタ制御部５８を含む。
【００１３】
液晶ディスプレイパネル１０では、３色相に対して割当てられたデータ電極ラインと、このデータ電極ラインと交差されるように形成される走査電極ラインとが備わる。
【００１４】
照明制御部５６の制御によって動作する２色照明装置４０は、液晶ディスプレイパネル１０の後に設けられ、２色スペクトルシャッタ２Ｓの動作に対応する２色相のバックライトを単位サブフィールドごとに順次に発生させる。
【００１５】
制御部５７はデータ変換部５１、映像メモリ５２、バッファ５３、走査駆動部５４、データ駆動部５５、照明制御部５６、及びシャッタ制御部５８の動作を制御する。ここで、単位駆動周期、例えばサブフィールドが第１ないし第３色相駆動周期に三分割される。また、前記３色相駆動周期のうち２色相駆動周期が併合され、併合された２色相駆動周期で１回の走査パルスだけが走査電極ラインそれぞれに順次に印加されるが、前記１回の走査パルスだけが印加される時間で前記２色相の駆動が行われる。これにより、走査パルスの幅が効率的に広くなるので、安定した高速駆動が行われうる。これと関連した内容は本実施の形態でさらに詳細に説明する。
【００１６】
液晶ディスプレイパネル１０の前に設けられてシャッタ制御部５８の制御によって動作する２色スペクトルシャッタ２Ｓは、第４及び第５色相のフロントライトだけを液晶ディスプレイパネル１０に入射させる。照明制御部５６の制御によって動作する２色照明装置４０は、液晶ディスプレイパネル１０の後に設けられ、２色スペクトルシャッタ２Ｓの動作に対応する第６及び第７色相のバックライトだけを単位サブフィールドごとに順次に発生させる。
【００１７】
これにより、前記３色相駆動周期のうち２色相駆動周期で２色スペクトルシャッタ２Ｓが同色相のフロントライトだけを液晶ディスプレイパネル１０に入射させられる。また、前記３色相駆動周期のうち他の２色相駆動周期で２色照明装置４０から同色相のバックライトだけが発生しうる。これにより、２色スペクトルシャッタ２Ｓ及び２色照明装置４０の駆動もさらに安定しうる。これと関連した内容も本実施の形態でさらに詳細に説明する。
【００１８】
制御部５７の制御によって動作するデータ変換部５１は、入力される映像データを赤色データ、緑色データ、及び青色データに変換させ、制御部５７からの書込み命令信号によって映像メモリ５２に保存させる。映像メモリ５２に保存された各色相のデータは制御部５７からの読出し命令信号によって各色相別にバッファ５３に伝送される。バッファ５３に入力された各色相の映像データは直列データの形式でデータ駆動部５５に入力される。データ駆動部５５は各色相別に順次に入力される直列データを処理し、液晶ディスプレイパネル１０のデータ電極ラインを駆動する。また、走査駆動部５４は制御部５７からのタイミング制御信号によって液晶ディスプレイパネル１０の走査電極ラインを駆動する。
【００１９】
図２Ａは、図１の液晶ディスプレイ装置で２色スペクトルシャッタ２Ｓがフォトニックインクからなり、２色照明装置４０が黄色Ｙと青色Ｂとからなる場合に、液晶ディスプレイパネル１０、２色照明装置４０、及び２色スペクトルシャッタ２Ｓの断面を示す。図２Ｂは、図１の液晶ディスプレイ装置で２色スペクトルシャッタ２Ｓがフォトニックインクからなり、２色照明装置４０が赤色Ｒとシアン色Ｃからなる場合に、液晶ディスプレイパネル１０、２色照明装置４０、及び２色スペクトルシャッタ２Ｓの断面を示す。図３は図２Ａまたは２Ｂの２色スペクトルシャッタ２Ｓの詳細な断面及びシャッタ制御部５８の動作を示す。
【００２０】
図１ないし３を参照すれば、背面基板６６には透明絶縁層１、薄膜トランジスタ層Ｔ、及び走査電極ライン６７が形成される。背面基板６６と前面基板６４間には液晶層７０が形成される。前面基板６４にはデータ電極ライン６５、透明絶縁層１ａ、及びブラックマトリックス６１が形成される。
【００２１】
印加電圧Ｖ２ＳＶによって色相が変わるフォトニックインクからなる２色スペクトルシャッタ２Ｓは前面基板６４上に付着され。さらに詳細には、２色スペクトルシャッタ２Ｓでは、透明な前面電極板２ＳＵと透明な背面電極板２ＳＬ間にフォトニックインク層２ＳＩが形成される。２色スペクトルシャッタ２Ｓ上には保護用透明絶縁層１が形成される。
【００２２】
可変的のシャッタ電圧Ｖ２ＳＶを発生させる電源と電圧スイッチＳＷ２Ｓとが備わったシャッタ制御部５８は、制御部５７からのシャッタ制御信号Ｃ２Ｓによって色相転換用電圧をサブフィールドごとに順次にフォトニックインク層２ＳＩに印加する。
【００２３】
図４Ａは、図１の液晶ディスプレイ装置で２色スペクトルシャッタ２Ｓが液晶パネル２ＳＭ，２ＳＣ，２ＳＹからなり、２色照明装置４０が黄色Ｙと青色Ｂとからなる場合に、液晶ディスプレイパネル１０、２色照明装置４０、及び２色スペクトルシャッタ２Ｓの断面を示す。図４Ｂは、図１の液晶ディスプレイ装置で２色スペクトルシャッタ２Ｓが液晶パネル２ＳＭ，２ＳＣ，２ＳＹからなり、２色照明装置４０が赤色Ｒとシアン色Ｃとからなる場合に液晶ディスプレイパネル１０、２色照明装置４０、及び２色スペクトルシャッタ２Ｓの断面を示す。図５は、図４Ａまたは４Ｂの２色スペクトルシャッタ２Ｓの詳細な断面及びシャッタ制御部５８の動作を示す。図４Ａ、４Ｂで図２Ａ、２Ｂと同じ参照符号は同じ機能の対象を指す。
【００２４】
図１、４Ａないし５を参照すれば、２色スペクトルシャッタ２Ｓでは３枚の液晶パネル２ＳＭ，２ＳＣ，２ＳＹが重畳されている。第１液晶パネル２ＳＹはその液晶層２ＳＹＩの屈折率差と厚さの調整により、所定の駆動電圧Ｖ２ＳＦで黄色の波長領域の光を液晶ディスプレイパネル１０の前に出射させる。第２液晶パネル２ＳＣはその液晶層２ＳＣＩの屈折率差と厚さの調整により、前記駆動電圧Ｖ２ＳＦでシアン色の波長領域の光を液晶ディスプレイパネル１０の前に出射させる。第３液晶パネル２ＳＭはその液晶層２ＳＭＩの屈折率差と厚さの調整により、前記駆動電圧Ｖ２ＳＦでマゼンタ色の波長領域の光を液晶ディスプレイパネル１０の前に出射させる。
【００２５】
さらに詳細には、第１液晶パネル２ＳＹでは、透明な前面電極板２ＳＹＵと背面電極板２ＳＹＬ間に液晶層２ＳＹＩが形成される。第２液晶パネル２ＳＣでは、透明な前面電極板２ＳＣＵと背面電極板２ＳＣＬ間に液晶層２ＳＣＩが形成される。これと同様に、第３液晶パネル２ＳＭでは、透明な前面電極板２ＳＭＵと背面電極板２ＳＭＬ間に液晶層２ＳＭＩが形成される。
【００２６】
固定されたシャッタ電圧Ｖ２ＳＦを発生させる電源と電圧スイッチＳＷ２ＳＹ，ＳＷ２ＳＣ，ＳＷ２ＳＭとが備わったシャッタ制御部５８は、制御部５７からのシャッタ制御信号Ｃ２Ｓによって電圧スイッチＳＷ２ＳＹ，ＳＷ２ＳＣ，ＳＷ２ＳＭの動作を制御する。
【００２７】
図６Ａは図１のフィールドシーケンス型液晶ディスプレイ装置の駆動方法で、第２及び第３色相駆動周期ＳＦ１ＧＢ，ＳＦ２ＧＢ，ＳＦ３ＧＢ，ＳＦ４ＧＢとしての緑色及び青色サブフィールドが互いに併合された場合を示す。図６Ａを参照すれば、単位フレームＦＲが４つのサブフィールドＳＦ１ないしＳＦ４を含むことにより時分割階調ディスプレイが行われる。それぞれのサブフィールドＳＦ１ないしＳＦ４はそれぞれの赤色駆動サブフィールドＳＦ１Ｒ，ＳＦ２Ｒ，ＳＦ３Ｒ，ＳＦ４Ｒ、及びそれぞれの緑色−青色併合駆動サブフィールドＳＦ１ＧＢ，ＳＦ２ＧＢ，ＳＦ３ＧＢ，ＳＦ４ＧＢを含む。
【００２８】
図６Ｂは図１のフィールドシーケンス型液晶ディスプレイ装置の駆動方法で第１及び第３色相駆動周期ＳＦ１Ｂ２Ｒ，ＳＦ２Ｂ３Ｒ，ＳＦ３Ｂ４Ｒが併合された場合を示す。図６Ｂを参照すれば、単位フレームＦＲが緑色駆動サブフィールドＳＦ１Ｇ，ＳＦ２Ｇ，ＳＦ３Ｇ，ＳＦ４Ｇ、及び赤色−青色併合駆動サブフィールドＳＦ１Ｂ２Ｒ，ＳＦ２Ｂ３Ｒ，ＳＦ３Ｂ４Ｒを含む。
【００２９】
図６Ｃは図１のフィールドシーケンス型液晶ディスプレイ装置の駆動方法で第１及び第２色相駆動周期が併合された場合を示す。図６Ｃを参照すれば、それぞれのサブフィールドＳＦ１ないしＳＦ４はそれぞれの青色駆動サブフィールドＳＦ１Ｂ，ＳＦ２Ｂ，ＳＦ３Ｂ，ＳＦ４Ｂ、及びそれぞれの赤色−緑色併合駆動サブフィールドＳＦ１ＲＧ，ＳＦ２ＲＧ，ＳＦ３ＲＧ，ＳＦ４ＲＧを含む。
【００３０】
図７Ａは図６Ａのフレームで図２Ａの２色スペクトルシャッタ２Ｓに印加される電圧の波形を示す。図７Ａの駆動において、第２及び第３色相駆動周期が併合されるが、ここに使われる各色相の駆動サブフィールドでの２色スペクトルシャッタ２Ｓ及び２色照明装置４０の動作色相が下の表１に提示される。
【００３１】
【表１】
2005010754.tif 000003
【００３２】
図１ないし図３、図６Ａ、図７Ａ、及び前記表１を参照し、各色相のサブフィールドでの動作を説明すれば次の通りである。
【００３３】
赤色駆動サブフィールドＳＦ１Ｒ，ＳＦ２Ｒ，ＳＦ３Ｒ，ＳＦ４Ｒにおいて、全ての走査電極ラインＬＳ１ないしＬＳｎと赤色に相応するデータ電極ラインとが駆動されることにより選択されたセルが決定される。また、シャッタ制御部５８は制御部５７からのシャッタ制御信号Ｃ２Ｓによって赤色転換用電圧ＶＲをフォトニックインク層２ＳＩに印加する。これにより、フォトニックインク層２ＳＩの色相が赤色に転換されるので、赤色のフロントライトが液晶ディスプレイパネル１０の選択されたセルに入射され、２色照明装置４０で反射され、２色照明装置４０からの黄色Ｙのバックライトと共に前記選択されたセルを介して出射される。
【００３４】
緑色−青色併合駆動サブフィールドＳＦ１ＧＢ，ＳＦ２ＧＢ，ＳＦ３ＧＢ，ＳＦ４ＧＢで、シャッタ制御部５８は制御部５７からのシャッタ制御信号Ｃ２Ｓによってシアン色Ｃ転換用電圧ＶＣをフォトニックインク層２ＳＩに印加する。これにより、フォトニックインク層２ＳＩの色相がシアン色Ｃに転換されるので、シアン色Ｃのフロントライトが液晶ディスプレイパネル１０の選択されたセルに入射され、２色照明装置４０で反射され、前記選択されたセルを介して出射される。ここで、単位走査電極ラインに対して１回の走査パルスだけが印加される時間のうち前記第２色相駆動周期に相応し、割当てられた時間でシアン色Ｃのフロントライト及び黄色Ｙのバックライトだけが液晶ディスプレイパネル１０の選択されたセル及び前記２色スペクトルシャッタ２Ｓを介して出射される。また、前記１回の走査パルスだけが印加される時間のうち前記第３色相駆動周期に相応し、割当てられた時間で前記シアン色Ｃのフロントライトおよび青色のバックライトだけが液晶ディスプレイパネル１０の選択されたセル及び２色スペクトルシャッタ２Ｓを介して出射される。
【００３５】
図７Ｂは、図６Ｂのフレームで図２Ｂの２色スペクトルシャッタ２Ｓに印加される電圧の波形を示す。図７Ｂの駆動において、第１及び第３色相駆動周期が併合されるが、ここに使われる各色相の駆動サブフィールドでの２色スペクトルシャッタ２Ｓ及び２色照明装置４０の動作色相が下の表２に提示される。
【００３６】
【表２】
2005010754.tif 000004
【００３７】
図１ないし図３、図６Ｂ、図７Ｂ、及び前記表２を参照し、各色相のサブフィールドでの動作を説明すれば次の通りである。
【００３８】
緑色駆動サブフィールドＳＦ１Ｇ，ＳＦ２Ｇ，ＳＦ３Ｇ，ＳＦ４Ｇにおいて、全ての走査電極ラインＬＳ１ないしＬＳｎと緑色に相応するデータ電極ラインとが駆動されることによって選択されたセルが決定される。また、シャッタ制御部５８は制御部５７からのシャッタ制御信号Ｃ２Ｓによって緑色転換用電圧ＶＧをフォトニックインク層２ＳＩに印加する。これにより、フォトニックインク層２ＳＩの色相が緑色に転換されるので、緑色のフロントライトが液晶ディスプレイパネル１０の選択されたセルに入射され、２色照明装置４０で反射され、２色照明装置４０からのシアン色Ｃのバックライトと共に前記選択されたセルを介して出射される。
【００３９】
赤色−青色併合駆動サブフィールドＳＦ１Ｂ２Ｒ，ＳＦ２Ｂ３Ｒ，ＳＦ３Ｂ４Ｒでシャッタ制御部５８は制御部５７からのシャッタ制御信号Ｃ２Ｓによってマゼンタ色Ｍ転換用電圧ＶＭをフォトニックインク層２ＳＩに印加する。これにより、フォトニックインク層２ＳＩの色相がマゼンタ色Ｍに転換されるので、マゼンタ色Ｍのフロントライトが液晶ディスプレイパネル１０の選択されたセルに入射され、２色照明装置４０で反射され、前記選択されたセルを介して出射される。ここで、単位走査電極ラインに対して１回の走査パルスだけが印加される時間のうち前記第１色相駆動周期に相応し、割当てられた時間でマゼンタ色Ｍのフロントライト及び赤色Ｒのバックライトだけ液晶ディスプレイパネル１０の選択されたセル及び前記２色スペクトルシャッタ２Ｓを介して出射される。また、前記１回の走査パルスだけが印加される時間のうち前記第３色相駆動周期に相応し、割当てられた時間で前記マゼンタ色Ｍフロントライト及びシアン色Ｃのバックライトだけが液晶ディスプレイパネル１０の選択されたセル及び２色スペクトルシャッタ２Ｓを介して出射される。
【００４０】
図７Ｃは図６Ｃのフレームで、図２Ｂの２色スペクトルシャッタ２Ｓに印加される電圧の波形を示す。図７Ｃの駆動において、第１及び第２色相駆動周期が併合されるが、ここに使われる各色相の駆動サブフィールドでの２色スペクトルシャッタ２Ｓ及び２色照明装置４０の動作色相が下の表３に提示される。
【００４１】
【表３】
2005010754.tif 000005
【００４２】
図１ないし図３、図６Ｃ、図７ｃ、及び前記表３を参照し、各色相のサブフィールドでの動作を説明すれば次の通りである。
【００４３】
青色駆動サブフィールドＳＦ１Ｂ，ＳＦ２Ｂ，ＳＦ３Ｂ，ＳＦ４Ｂにおいて、全ての走査電極ラインＬＳ１ないしＬＳｎと青色に相応するデータ電極ラインとが駆動されることによって選択されたセルが決定される。また、シャッタ制御部５８は制御部５７からのシャッタ制御信号Ｃ２Ｓによって青色転換用電圧ＶＢをフォトニックインク層２ＳＩに印加する。これにより、フォトニックインク層２ＳＩの色相が青色Ｂに転換されるので、青色Ｂのフロントライトが液晶ディスプレイパネル１０の選択されたセルに入射され、２色照明装置４０で反射され、２色照明装置４０からのシアン色Ｃのバックライトと共に前記選択されたセルを介して出射される。
【００４４】
赤色−緑色併合駆動サブフィールドＳＦ１ＲＧ，ＳＦ２ＲＧ，ＳＦ３ＲＧ，ＳＦ４ＲＧでシャッタ制御部５８は制御部５７からのシャッタ制御信号Ｃ２Ｓによって黄色Ｙ転換用電圧ＶＹをフォトニックインク層２ＳＩに印加する。これにより、フォトニックインク層２ＳＩの色相が黄色Ｙに転換されるので、黄色Ｙのフロントライトが液晶ディスプレイパネル１０の選択されたセルに入射され、２色照明装置４０で反射され、前記選択されたセルを介して出射される。ここで、単位走査電極ラインに対して１回の走査パルスだけが印加される時間のうち前記第１色相駆動周期に相応し、割当てられた時間で黄色Ｙのフロントライト及び赤色Ｒのバックライトだけが液晶ディスプレイパネルの選択されたセル及び前記２色スペクトルシャッタを介して出射される。また、前記１回の走査パルスだけが印加される時間のうち前記第２色相駆動周期に相応し、割当てられた時間で前記黄色Ｙのフロントライト及びシアン色Ｃのバックライトだけが液晶ディスプレイパネル１０の選択されたセル及び２色スペクトルシャッタ２Ｓを介して出射される。
【００４５】
図８Ａは図６Ａのフレームで図４Ａの２色スペクトルシャッタ２Ｓ及び照明装置４０が使われた場合に図５の電圧スイッチＳＷ２ＳＹ，ＳＷ２ＳＣ，ＳＷ２ＳＭに印加される電圧の波形を示す。図８Ａの駆動において、第２及び第３色相駆動周期が併合されるが、ここに使われる各色相の駆動サブフィールドでの２色スペクトルシャッタ２Ｓ及び２色照明装置４０の動作色相が上の表１に提示される。
【００４６】
図１、図４Ａ、図５、図６Ａ、図８Ａ、及び前記表１を参照し、各色相のサブフィールドでの動作を説明すれば次の通りである。
【００４７】
赤色駆動サブフィールドＳＦ１Ｒ，ＳＦ２Ｒ，ＳＦ３Ｒ，ＳＦ４Ｒにおいて、全ての走査電極ラインＬＳ１ないしＬＳｎと赤色に相応するデータ電極ラインとが駆動されることにより選択されたセルが決定される。また、シャッタ制御部５８はマゼンタ色駆動用スイッチＳＷ２ＳＭ及び黄色駆動用スイッチＳＷ２ＳＹだけをオンにする。これにより、液晶ディスプレイパネル１０の選択されたセルに流入され、２色照明装置４０で反射される光でマゼンタ色の光が前記選択されたセルを介して第３液晶パネル２ＳＭから出射され、黄色の光が第１液晶パネル２ＳＹから出射される。従って、マゼンタ色と黄色とが混合された結果である赤色の光が２色照明装置４０からの黄色バックライトと共に液晶ディスプレイパネル１０の前記選択されたセルから出射される。
【００４８】
緑色−青色併合駆動サブフィールドＳＦ１ＧＢ，ＳＦ２ＧＢ，ＳＦ３ＧＢ，ＳＦ４ＧＢで、シャッタ制御部５８は制御部５７からのシャッタ制御信号Ｃ２Ｓによってシアン色Ｃ駆動用スイッチＳＷ２ＳＣだけをオンにする。これにより、液晶ディスプレイパネル１０の選択されたセルに流入され、２色照明装置４０で反射される光でシアン色Ｃの光が前記選択されたセルを介して第２液晶パネル２ＳＣから出射される。ここで、単位走査電極ラインに対して１回の走査パルスだけが印加される時間のうち前記第２色相駆動周期に相応し、割当てられた時間でシアン色Ｃのフロントライト及び黄色Ｙのバックライトだけが液晶ディスプレイパネル１０の選択されたセル及び前記２色スペクトルシャッタ２Ｓを介して出射される。また、前記１回の走査パルスだけが印加される時間のうち前記第３色相駆動周期に相応し、割当てられた時間で前記シアン色Ｃのフロントライト及び青色のバックライトだけが液晶ディスプレイパネル１０の選択されたセル及び２色スペクトルシャッタ２Ｓを介して出射される。
【００４９】
図８Ｂは図６Ｂのフレームで、図４Ｂの２色スペクトルシャッタ２Ｓ及び照明装置４０が使われた場合に図５の電圧スイッチＳＷ２ＳＹ，ＳＷ２ＳＣ，ＳＷ２ＳＭに印加される電圧の波形を示す。図８Ｂの駆動において、第１及び第３色相駆動周期が併合されるが、ここに使われる各色相の駆動サブフィールドでの２色スペクトルシャッタ２Ｓ及び２色照明装置４０の動作色相が上の表２に提示される。
【００５０】
図１、図４Ｂ、図５、図６Ｂ、図８Ｂ、及び前記表２を参照し、各色相のサブフィールドでの動作を説明すれば次の通りである。
【００５１】
緑色駆動サブフィールドＳＦ１Ｇ，ＳＦ２Ｇ，ＳＦ３Ｇ，ＳＦ４Ｇにおいて、全ての走査電極ラインＬＳ１ないしＬＳｎと緑色に相応するデータ電極ラインとが駆動されることによって選択されたセルが決定される。また、シャッタ制御部５８はシアン色駆動用スイッチＳＷ２ＳＣ及び黄色駆動用スイッチＳＷ２ＳＹだけをオンにする。これにより、液晶ディスプレイパネル１０の選択されたセルに流入され、２色照明装置４０で反射される光でシアン色の光が前記選択されたセルを介して第２液晶パネル２ＳＣから出射され、黄色の光が第１液晶パネル２ＳＹから出射される。従って、シアン色と黄色とが混合された結果である緑色の光が２色照明装置４０からのシアン色バックライトと共に液晶ディスプレイパネル１０の前記選択されたセルから出射される。
【００５２】
赤色−青色併合駆動サブフィールドＳＦ１Ｂ２Ｒ，ＳＦ２Ｂ３Ｒ，ＳＦ３Ｂ４Ｒで、シャッタ制御部５８は制御部５７からのシャッタ制御信号Ｃ２Ｓによってマゼンタ色Ｍ駆動用スイッチＳＷ２ＳＭだけをオンにする。これにより、液晶ディスプレイパネル１０の選択されたセルに流入され、２色照明装置４０で反射される光でマゼンタ色Ｍの光が前記選択されたセルを介して第３液晶パネル２ＳＭから出射される。ここで、単位走査電極ラインに対して１回の走査パルスだけが印加される時間のうち前記第１色相駆動周期に相応し、割当てられた時間でマゼンタ色Ｍのフロントライト及び赤色Ｒのバックライトだけが液晶ディスプレイパネル１０の選択されたセル及び前記２色スペクトルシャッタ２Ｓを介して出射される。また、前記１回の走査パルスだけが印加される時間のうち前記第３色相駆動周期に相応し、割当てられた時間で前記マゼンタ色Ｍのフロントライト及びシアン色Ｃのバックライトだけが液晶ディスプレイパネル１０の選択されたセル及び２色スペクトルシャッタ２Ｓを介して出射される。
【００５３】
図８Ｃは図６Ｃのフレームで、図４Ｂの２色スペクトルシャッタ２Ｓ及び照明装置４０が使われた場合に図５の電圧スイッチＳＷ２ＳＹ，ＳＷ２ＳＣ，ＳＷ２ＳＭに印加される電圧の波形を示す。図８Ｃの駆動において、第１及び第２色相駆動周期が併合されるが、ここに使われる各色相の駆動サブフィールドでの２色スペクトルシャッタ２Ｓ及び２色照明装置４０の動作色相が上の表３に提示される。
【００５４】
図１、４Ｂ、５、６Ｃ、８Ｃ、及び前記表３を参照し、各色相のサブフィールドでの動作を説明すれば次の通りである。
【００５５】
青色駆動サブフィールドＳＦ１Ｂ，ＳＦ２Ｂ，ＳＦ３Ｂ，ＳＦ４Ｂにおいて、全ての走査電極ラインＬＳ１ないしＬＳｎと青色に相応するデータ電極ラインとが駆動されることにより選択されたセルが決定される。また、シャッタ制御部５８はマゼンタ色駆動用スイッチＳＷ２ＳＭ及びシアン色駆動用スイッチＳＷ２ＳＣだけをオンにする。これにより、液晶ディスプレイパネル１０の選択されたセルに流入され、２色照明装置４０で反射される光でマゼンタ色の光が前記選択されたセルを介して第３液晶パネル２ＳＭから出射され、シアン色の光が第２液晶パネル２ＳＣから出射される。従って、マゼンタ色とシアン色とが混合された結果である青色の光が２色照明装置４０からのシアン色バックライトと共に液晶ディスプレイパネル１０の前記選択されたセルから出射される。
【００５６】
赤色−緑色併合駆動サブフィールドＳＦ１ＲＧ，ＳＦ２ＲＧ，ＳＦ３ＲＧ，ＳＦ４ＲＧで、シャッタ制御部５８は制御部５７からのシャッタ制御信号Ｃ２Ｓによって黄色Ｙ駆動用スイッチＳＷ２ＳＹだけをオンにする。これにより、液晶ディスプレイパネル１０の選択されたセルに流入され、２色照明装置４０で反射される光で黄色Ｙの光が前記選択されたセルを介して第１液晶パネル２ＳＹから出射される。ここで、単位走査電極ラインに対して１回の走査パルスだけが印加される時間のうち前記第１色相駆動周期に相応し、割当てられた時間で黄色Ｙのフロントライト及び赤色Ｂのバックライトだけが液晶ディスプレイパネル１０の選択されたセル及び前記２色スペクトルシャッタ２Ｓを介して出射される。また、前記１回の走査パルスだけが印加される時間のうち前記第２色相駆動周期に相応し、割当てられた時間で前記黄色Ｙのフロントライト及びシアン色Ｃのバックライトだけが液晶ディスプレイパネル１０の選択されたセル及び２色スペクトルシャッタ２Ｓを介して出射される。
【００５７】
本発明は、前記実施の形態に限定されず、特許請求の範囲で定義された発明の思想及び範囲内で当業者によって変形及び改良されうる。
【産業上の利用可能性】
【００５８】
本発明は高速動作が安定化されて画質が改善されるフィールドシーケンス型液晶ディスプレイ装置に関わり、例えば多用な表示装置に有効に適用可能である。
【図面の簡単な説明】
【００５９】
【図１】本発明によるフィールドシーケンス型液晶ディスプレイ装置を示す図面である。
【図２Ａ】図１の液晶ディスプレイ装置で２色スペクトルシャッタがフォトニックインクからなり、照明装置が黄色と青色とからなる場合に液晶ディスプレイパネル、照明装置、及び２色スペクトルシャッタの断面を示す図面である。
【図２Ｂ】図１の液晶ディスプレイ装置で２色スペクトルシャッタがフォトニックインクからなり、照明装置が赤色とシアン色とからなる場合に液晶ディスプレイパネル、照明装置、及び２色スペクトルシャッタの断面を示す図面である。
【図３】図２Ａまたは図２Ｂの２色スペクトルシャッタの詳細な断面及びシャッタ制御部の動作を示す図面である。
【図４Ａ】図１の液晶ディスプレイ装置で２色スペクトルシャッタが液晶パネルからなり、照明装置が黄色と青色とからなる場合に液晶ディスプレイパネル、照明装置、及び２色スペクトルシャッタの断面を示す図面である。
【図４Ｂ】図１の液晶ディスプレイ装置で２色スペクトルシャッタが液晶パネルからなり、照明装置が赤色とシアン色とからなる場合に液晶ディスプレイパネル、照明装置、及び２色スペクトルシャッタの断面を示す図面である。
【図５】図４Ａまたは図４Ｂの２色スペクトルシャッタの詳細な断面及びシャッタ制御部の動作を示す図面である。
【図６Ａ】図１のフィールドシーケンス型液晶ディスプレイ装置の駆動方法で第２及び第３色相駆動周期が併合された場合を示すタイミング図である。
【図６Ｂ】図１のフィールドシーケンス型液晶ディスプレイ装置の駆動方法で第１及び第３色相駆動周期が併合された場合を示すタイミング図である。
【図６Ｃ】図１のフィールドシーケンス型液晶ディスプレイ装置の駆動方法で第１及び第２色相駆動周期が併合された場合を示すタイミング図である。
【図７Ａ】図６Ａのフレームで図２Ａの２色スペクトルシャッタに印加される電圧の波形を示すタイミング図である。
【図７Ｂ】図６Ｂのフレームで図２Ｂの２色スペクトルシャッタに印加される電圧の波形を示すタイミング図である。
【図７Ｃ】図６Ｃのフレームで図２Ｂの２色スペクトルシャッタに印加される電圧の波形を示すタイミング図である。
【図８Ａ】図６Ａのフレームで図４Ａの２色スペクトルシャッタ及び照明装置が使われた場合に図５のスイッチに印加される電圧の波形を示すタイミング図である。
【図８Ｂ】図６Ｂのフレームで図４Ｂの２色スペクトルシャッタ及び照明装置が使われた場合に図５のスイッチに印加される電圧の波形を示すタイミング図である。
【図８Ｃ】図６Ｃのフレームで図４Ｂの２色スペクトルシャッタ及び照明装置が使われた場合に図５のスイッチに印加される電圧の波形を示すタイミング図である。
【符号の説明】
【００６０】
１，１ａ    透明絶縁層
Ｙ    黄色光源
Ｒ    赤色光源
Ｂ    青色光源
１０    液晶ディスプレイパネル
４０    照明装置
２Ｓ    ２色スペクトルシャッタ
５１    データ変換部
５２    映像メモリ
５３    バッファ
５４    走査駆動部
５５    データ駆動部
５６    照明制御部
５７    制御部
５８    シャッタ制御部
６１    ブラックマトリックス
６４    前面基板
６５    データ電極ライン
６６    背面基板
６７    走査電極ライン
７０，２ＳＭＩ，２ＳＣＩ，２ＳＹＩ    液晶層
Ｔ    薄膜トランジスタ層
２ＳＩ    フォトニックインク層
Ｖ２ＳＶ，Ｖ２ＳＦ    シャッタ電圧
ＳＷ２Ｓ，ＳＷ２ＳＭ，ＳＷ２ＳＣ，ＳＷ２ＳＹ    電圧スイッチ
Ｃ２Ｓ    シャッタ制御信号
２ＳＭ，２ＳＣ，２ＳＹ    液晶パネル
ＦＲ    フレーム
２ＳＵ，２ＳＭＵ，２ＳＣＵ，２ＳＹＵ    前面電極板
ＳＦ１，ＳＦ２，ＳＦ３，ＳＦ４    サブフィールド
２ＳＬ，２ＳＭＬ，２ＳＣＬ，２ＳＹＬ    背面電極板
ＬＳ１，．．． ，ＬＳｎ    走査電極ライン
ＳＦ１Ｒ，ＳＦ２Ｒ，ＳＦ３Ｒ，ＳＦ４Ｒ    赤色駆動サブフィールド
ＶＯＮ    オン電圧
ＳＦ１Ｇ，ＳＦ２Ｇ，ＳＦ３Ｇ，ＳＦ４Ｇ    緑色駆動サブフィールド
ＶＯＦＦ    オフ電圧
ＳＦ１Ｂ，ＳＦ２Ｂ，ＳＦ３Ｂ，ＳＦ４Ｂ    青色駆動サブフィールド
ＶＳＷ２ＳＭ，ＶＳＷ２ＳＣ，ＶＳＷ２ＳＹ    スイッチ制御電圧
ＳＦ１ＧＢ，ＳＦ２ＧＢ，ＳＦ３ＧＢ，ＳＦ４ＧＢ    緑色−青色併合駆動サブフィールド
ＳＦ１Ｂ２Ｒ，ＳＦ２Ｂ３Ｒ，ＳＦ３Ｂ４Ｒ    赤色−青色併合駆動サブフィールド
ＳＦ１ＲＧ，ＳＦ２ＲＧ，ＳＦ３ＲＧ，ＳＦ４ＲＧ    赤色−緑色併合駆動サブフィールド
【図１】
2005010754.tif 000006
【図２Ａ】
2005010754.tif 000007
【図２Ｂ】
2005010754.tif 000008
【図３】
2005010754.tif 000009
【図４Ａ】
2005010754.tif 000010
【図４Ｂ】
2005010754.tif 000011
【図５】
2005010754.tif 000012
【図６Ａ】
2005010754.tif 000013
【図６Ｂ】
2005010754.tif 000014
【図６Ｃ】
2005010754.tif 000015
【図７Ａ】
2005010754.tif 000016
【図７Ｂ】
2005010754.tif 000017
【図７Ｃ】
2005010754.tif 000018
【図８Ａ】
2005010754.tif 000019
【図８Ｂ】
2005010754.tif 000020
【図８Ｃ】
2005010754.tif 000021